【手続補正書】
【提出日】平成26年6月27日(2014.6.27)
【手続補正１】
【補正対象書類名】明細書
【補正対象項目名】０１６０
【補正方法】変更
【補正の内容】
【０１６０】
本発明の様々な改質及び変更は、本発明の範囲及び趣旨から逸脱せずに当該技術分野の当業者に明らかであり、本発明は、ここに記載された例示的な実施形態に限定されないことが理解されるべきである。例えば、１つの開示実施形態の特徴は、別に記載のない限り、他の開示実施形態全てにも適用され得ることを、読者は推定すべきである。また、本明細書において参照された全ての米国特許、公開特許出願、並びに他の特許及び非特許文書は、それらが上述の開示に矛盾しない範囲において、参照によって全てが組み込まれることが理解されるべきである。
本発明はまた、以下の項目１〜３０の内容を包含する。
（１）
光学フィルムであって、
異なる第１の相及び第２の相にそれぞれ分離された第１及び第２のポリマー材料を含む混合層であって、第１のゾーンから第２のゾーンまで延在し、かつ該第１及び第２のゾーンにおいて実質的に同じ組成及び厚さを有する混合層を含み、
前記第１の相及び第２の相の少なくとも一方が連続相であり、該連続相と関連する前記第１のポリマー材料及び／又は第２のポリマー材料が、前記第１のゾーンにおいて複屈折性であり、
前記第１のゾーンにおいて、前記層が第１の拡散反射特性を有し、
前記第２のゾーンにおいて、前記層が、前記第１の拡散反射特性と異なる第２の拡散反射特性を有し、
前記第１の拡散反射特性と前記第２の拡散反射特性との間の違いが、前記第１のゾーンと前記第２のゾーンとの間の、前記第１のポリマー材料及び前記第２のポリマー材料の少なくとも一方の複屈折性の違いに実質的に起因する、光学フィルム。
（２）
前記混合層が、前記第１及び第２のゾーンと実質的に同じブレンド形態を有する、項目１に記載のフィルム。
（３）
前記第１の相が分散相であり、前記第２の相が連続相である、項目１に記載のフィルム。
（４）
前記第１の相及び第２の相が共連続相である、項目１に記載のフィルム。
（５）
前記第２の相が連続相であり、前記第２のポリマー材料が、前記第１のゾーンにおいて複屈折性であり、前記第２のゾーンにおいてより低い複屈折性又は等方性である、項目１に記載のフィルム。
（６）
前記第１のポリマー材料が、前記第１及び第２のゾーンにおいて等方性である、項目５に記載のフィルム。
（７）
前記第１のポリマー材料が、少なくとも前記第１のゾーンにおいて複屈折性である、項目５に記載のフィルム。
（８）
前記第１の拡散反射特性及び前記第２の拡散反射特性の少なくとも一方が、異なる偏光の垂直入射光に関する実質的に異なる反射率によって特徴付けられる、項目１に記載のフィルム。
（９）
前記第１の拡散反射特性及び前記第２の拡散反射特性の少なくとも一方が、異なる偏光の垂直入射光に関する実質的に同じ反射率によって特徴付けられる、項目１に記載のフィルム。
（１０）
前記第１の拡散反射特性及び前記第２の拡散反射特性の少なくとも一方が、異なる偏光の垂直入射光に関する高い透過率及び低ヘイズによって特徴付けられる、項目１に記載のフィルム。
（１１）
前記第１及び第２のポリマー材料が熱可塑性物質である、項目１に記載のフィルム。
（１２）
前記混合層が、前記第１の相及び前記第２の相のブレンド形態を安定させる第３の材料を更に含む、項目１に記載のフィルム。
（１３）
紫外線、可視、又は赤外線放射エネルギーを選択的に吸収する吸収剤を更に含む、項目１に記載のフィルム。
（１４）
前記吸収剤を含有している内部促進層を更に含む、項目１３に記載のフィルム。
（１５）
前記連続相に関連する前記第１のポリマー材料及び／又は前記第２のポリマー材料が、前記第１のゾーンにおいて少なくとも０．０３、少なくとも０．０５、又は少なくとも０．１０の複屈折率を有する、項目１に記載のフィルム。
（１６）
内部パターン化光学フィルムの製造方法であって、
異なる第１の相及び第２の相にそれぞれ分離された第１及び第２のポリマー材料を含む混合層を含むフィルムを提供する工程であって、前記層が前記フィルムの第１及び第２のゾーンの両方において第１の拡散反射特性を有し、前記第１の相及び前記第２の相の少なくとも一方が連続相であり、前記連続相と関連する前記第１のポリマー材料及び／又は前記第２のポリマー材料が前記第１のゾーンにおいて複屈折性である、工程と、
前記第２のゾーンが前記第１の拡散反射特性と異なる第２の拡散反射特性を呈するのに十分な量で前記第２のゾーンの前記フィルムを選択的に加熱する工程であって、前記選択的加熱は、前記混合層の外表面の実質的な改質なしに適用される、工程と、
を含む製造方法。
（１７）
前記選択的加熱が、前記第２のゾーンにおける前記混合層の厚さの実質的減少なしに実施される、項目１６に記載の方法。
（１８）
前記選択的加熱が、前記第２のゾーンにおける前記混合層のブレンド形態の実質的変化なしに実施される、項目１６に記載の方法。
（１９）
前記第２の拡散反射特性が、所与の入射方向及び偏光の光を前記第１の拡散反射特性より少なく散乱するように、前記選択的加熱が実施される、項目１６に記載の方法。
（２０）
前記第２の拡散反射特性が、所与の入射方向及び偏光の光を前記第１の拡散反射特性より多く散乱するように、前記選択的加熱が実施される、項目１６に記載の方法。
（２１）
前記第１の拡散反射特性と前記第２の拡散反射特性との間の違いが、前記選択的加熱によってもたらされた前記第１及び第２のポリマー材料の少なくとも一方の複屈折性の変化に実質的に起因する、項目１６に記載の方法。
（２２）
前記第１のポリマー材料が前記第１のゾーンにおいて複屈折性であり、前記選択的加熱により前記第１のポリマー材料が、前記第２のゾーンにおいてより低い複屈折性又は等方性となる、項目１６に記載の方法。
（２３）
前記選択的加熱が、前記フィルムの前記第２のゾーンの少なくとも一部に放射エネルギーを向けることを含む、項目１６に記載の方法。
（２４）
前記放射エネルギーがレーザー光線を含む、項目２３に記載の方法。
（２５）
前記放射エネルギーがコリメートされ及び／又は偏光される、項目２３に記載の方法。
（２６）
前記放射エネルギーが、前記第１の拡散反射特性の前記光学フィルムの前記混合層を通る光の最大正透過にほぼ一致する軸に沿って向けられる、項目２３に記載の方法。
（２７）
前記放射エネルギーが、前記第１の拡散反射特性の前記光学フィルムの前記混合層を通る光の最大正透過の第１の方向と、前記第２の拡散反射特性の前記光学フィルムの前記混合層を通る光の最大正透過の第２の方向との中間の軸に沿って向けられる、項目２３に記載の方法。
（２８）
前記連続相に関連する前記第１のポリマー材料及び／又は前記第２のポリマー材料が、前記第１のゾーンにおいて少なくとも０．０３、少なくとも０．０５、又は少なくとも０．１０の複屈折性を有する、項目１６に記載の方法。
（２９）
前記連続相に関連する前記ポリマー材料が熱可塑性材料を含み、前記第１のゾーンにおける該熱可塑性材料の複屈折性が、流れ工程の結果生じる、項目１に記載のフィルム。
（３０）
項目１に記載のフィルムを含む物品であって、ＩＤ資料、セキュリティ物品、ディスプレイ、バックライト、及び光電子装置からなる群から選択される、物品。
【手続補正２】
【補正対象書類名】特許請求の範囲
【補正対象項目名】全文
【補正方法】変更
【補正の内容】
【特許請求の範囲】
【請求項１】
光学フィルムであって、
異なる第１の相及び第２の相にそれぞれ分離された第１及び第２のポリマー材料を含む混合層であって、第１のゾーンから第２のゾーンまで延在し、かつ該第１及び第２のゾーンにおいて実質的に同じ組成及び厚さを有する混合層を含み、
前記第１の相及び第２の相の少なくとも一方が連続相であり、該連続相と関連する前記第１のポリマー材料及び／又は第２のポリマー材料が、前記第１のゾーンにおいて複屈折性であり、
前記第１のゾーンにおいて、前記層が第１の拡散反射特性を有し、
前記第２のゾーンにおいて、前記層が、前記第１の拡散反射特性と異なる第２の拡散反射特性を有し、
前記第１の拡散反射特性と前記第２の拡散反射特性との間の違いが、前記第１のゾーンと前記第２のゾーンとの間の、前記第１のポリマー材料または前記第２のポリマー材料の少なくとも一方の複屈折性の違いに実質的に起因し、
垂直入射非偏光可視光の下で、前記第１の拡散反射特性と前記第２の拡散反射特性との間の差が、少なくとも１０％である、
光学フィルム。
【請求項２】
前記第１の拡散反射特性及び前記第２の拡散反射特性の少なくとも一方が、異なる偏光の垂直入射光に関する実質的に異なる反射率によって特徴付けられる、請求項１に記載のフィルム。
【請求項３】
内部パターン化光学フィルムの製造方法であって、
異なる第１の相及び第２の相にそれぞれ分離された第１及び第２のポリマー材料を含む混合層を含むフィルムを提供する工程であって、前記層が前記フィルムの第１及び第２のゾーンの両方において第１の拡散反射特性を有し、前記第１の相及び前記第２の相の少なくとも一方が連続相であり、前記連続相と関連する前記第１のポリマー材料及び／又は前記第２のポリマー材料が前記第１のゾーンにおいて複屈折性である、工程と、
垂直入射非偏光可視光の下で前記第２のゾーンが前記第１の拡散反射特性と少なくとも１０％異なる第２の拡散反射特性を呈するのに十分な量で前記第２のゾーンの前記フィルムを選択的に加熱する工程であって、前記選択的加熱は、前記混合層の外表面の実質的な改質なしに適用される、工程と、
を含む製造方法。
【請求項４】
請求項１に記載のフィルムを含む物品であって、ＩＤ資料、セキュリティ物品、ディスプレイ、バックライト、及び光電子装置からなる群から選択される、物品。